(57)【要約】【課題】  簡単な装置と操作により、シート状表示物を高い固着性、優れた外観および表示性で表示することができ、表示物の交換、変更および管理が容易である表示装置を提供する。【解決手段】  基板１が取付部材１０により表示部２に固着され、基板１の表面側の下部に保持部材４が取り付けられ、この保持部材４を表面側から覆うように基板１の下部に下枠１１が取り付けられ、これに対向して基板１の表面側の上部に上枠１５が取り付けられ、これらの側端部を覆うように側枠２１が上部受部５および下部受部６に取り付けられ、シート状表示物３は基板１の表面側に直接保持するか、あるいは透明カバー７を重ねた状態で、透明カバー７の上端部を上枠１５のスライド間隙１６に挿入してスライド空間１８内でスライドさせ、下部を下枠１１のスライド間隙１２に挿入して表示を行う装置。【選択図】      図３
2005107075.tif 000002
【特許請求の範囲】
【請求項１】
表示部に設置されて、表面側にシート状表示物を保持する基板と、
基板を表示部に取り付ける取付部材と、
基板の表面側にシート状表示物を覆うように、表面側に重ねて取り付けられる透明カバーと、
透明カバーを基板の表面側に保持する保持部材と、
基板および透明カバーの下部を表面側から覆うように構成され、透明カバーのスライド間隙を上部に有するとともに、透明カバー下部のスライド空間を有する下枠と、
基板および透明カバーの上部を表面側から覆うように構成され、透明カバーのスライド間隙を下部に有するとともに、透明カバーのスライド空間を有する上枠と
を有する表示装置。
【請求項２】
基板、シート状表示物、透明カバー、保持部材、下枠および上枠の側端部を覆うように取り付けられる側枠を有する請求項１記載の表示装置。
【請求項３】
表示部に設置されて、表面側にシート状表示物を保持する基板と、
基板を表示部に取り付ける取付部材と、
基板の側端部の裏側に配置され、上下両端部で表面側に突出する上部受部および下部受部を有し、かつ基板とともに表示部に固着される一体化部材と、
基板の表面側にシート状表示物を覆うように、表面側に重ねられて取り付けられる透明カバーと、
透明カバーを保持するように、基板の表面側の下部に取り付けられる保持部材と、
基板および透明カバーの下部、ならびに保持部材を表面側から覆い、その上部に透明カバーがスライドするスライド間隙を有する下枠と、
基板および透明カバーの上部を表面側から覆い、その下部に透明カバーがスライドするスライド間隙を有するとともに、透明カバーの下部が下枠を出るまでスライドするように透明カバー上部のスライド空間を有する上枠と、
基板、シート状表示物、透明カバー、保持部材、下枠および上枠の側端部を覆うように上部受部および下部受部に取り付けられる側枠と
を有する表示装置。
【請求項４】
表示部に設置されて、表面側にシート状表示物を保持する基板と、
基板を表示部に取り付ける取付部材と、
基板の側端部の裏側に配置され、上下両端部で表面側に突出する上部受部および下部受部を有し、かつ基板とともに表示部に固着される一体化部材と、
基板の表面側にシート状表示物を覆うように、表面側に重ねられて取り付けられる透明カバーと、
シート状表示物および透明カバーを保持するように、基板の表面側の下部に取り付けられる保持部材と、
基板、シート状表示物および透明カバーの下部、ならびに保持部材を表面側から覆い、その上部にシート状表示物および透明カバーがスライドするスライド間隙を有する下枠と、
基板、シート状表示物および透明カバーの上部を表面側から覆い、その下部にシート状表示物および透明カバーがスライドするスライド間隙を有するとともに、シート状表示物および透明カバーの下部が下枠を出るまでスライドするように透明カバー上部のスライド空間を有する上枠と、
基板、シート状表示物、透明カバー、保持部材、下枠および上枠の側端部を覆うように上部受部および下部受部に取り付けられる側枠と
を有する表示装置。
【請求項５】
基板と保持部材が一体的に形成された請求項１または２記載の表示装置。
【請求項６】
基板と下枠および／または上枠とが一体的に形成された請求項１または５記載の表示装置。
【発明の詳細な説明】
【技術分野】
【０００１】
本発明は、壁面、掲示板等の表示部に、告知書、ポスター、絵画、シート状見本等のシート状表示物を表示するための表示装置、特に壁面、掲示板等の面に表示するための表示装置に関するものである。
【背景技術】
【０００２】
従来、壁面等の表示部に、シート状表示物を表示するための表示装置として掲示板があり、告知書、ポスター、絵画、織物見本等のシート状表示物を押しピン、両面粘着テープ等の固定手段で固定して表示していた。しかしその固定手段は不安定であり、表示物が汚れたり、いたずらや事故等により表示物が脱落して紛失したり、押しピンの場合は人に対して危険性を及ぼすなどの問題点があった。
【０００３】
掲示板の一形態として、表面をガラスやプラスチック等の透明カバーで覆い、シート状表示物の外観、装飾性および表示性を高め、表示物を汚れや盗難から保護する表示装置がある。このような表示装置は、額縁状のフレームで透明カバーを押さえ付けたり、透明カバーを固定式にしている。このため表示物の交換が困難であり、表示物を例えば横長の表示物に変更するなどの場合には、表示装置全体を取り替える必要があった。
【０００４】
他の表示装置として、フレームの前面に開閉式の透明ガラスを設け、内部にシート状表示物を表示するものがある。しかしこのような表示装置では、透明ガラスを開閉式に設けるために、強度の大きい設備が必要になり、また表示物の紛失を防止するためには、施錠が必要になり、管理も複雑になるほか、表示物を例えば横長の表示物に変更するなど、大型の表示物に変更する場合には表示装置全体を取り替える必要があり、表示方法の変更に適していないなどの問題点があった。
【発明の開示】
【発明が解決しようとする課題】
【０００５】
本発明の課題は、簡単な装置と操作により、シート状表示物を高い固着性、優れた外観および表示性で表示することができ、表示物の交換、変更および管理が容易である表示装置を提供することである。
【課題を解決するための手段】
【０００６】
本発明は次の表示装置である。
（１）  表示部に設置されて、表面側にシート状表示物を保持する基板と、
基板を表示部に取り付ける取付部材と、
基板の表面側にシート状表示物を覆うように、表面側に重ねて取り付けられる透明カバーと、
透明カバーを基板の表面側に保持する保持部材と、
基板および透明カバーの下部を表面側から覆うように構成され、透明カバーのスライド間隙を上部に有するとともに、透明カバー下部のスライド空間を有する下枠と、
基板および透明カバーの上部を表面側から覆うように構成され、透明カバーのスライド間隙を下部に有するとともに、透明カバーのスライド空間を有する上枠と
を有する表示装置。
(２)  基板、シート状表示物、透明カバー、保持部材、下枠および上枠の側端部を覆うように取り付けられる側枠を有する上記（１）記載の表示装置。
(３)  表示部に設置されて、表面側にシート状表示物を保持する基板と、
基板を表示部に取り付ける取付部材と、
基板の側端部の裏側に配置され、上下両端部で表面側に突出する上部受部および下部受部を有し、かつ基板とともに表示部に固着される一体化部材と、
基板の表面側にシート状表示物を覆うように、表面側に重ねられて取り付けられる透明カバーと、
透明カバーを保持するように、基板の表面側の下部に取り付けられる保持部材と、
基板および透明カバーの下部、ならびに保持部材を表面側から覆い、その上部に透明カバーがスライドするスライド間隙を有する下枠と、
基板および透明カバーの上部を表面側から覆い、その下部に透明カバーがスライドするスライド間隙を有するとともに、透明カバーの下部が下枠を出るまでスライドするように透明カバー上部のスライド空間を有する上枠と、
基板、シート状表示物、透明カバー、保持部材、下枠および上枠の側端部を覆うように上部受部および下部受部に取り付けられる側枠と
を有する表示装置。
(４)  表示部に設置されて、表面側にシート状表示物を保持する基板と、
基板を表示部に取り付ける取付部材と、
基板の側端部の裏側に配置され、上下両端部で表面側に突出する上部受部および下部受部を有し、かつ基板とともに表示部に固着される一体化部材と、
基板の表面側にシート状表示物を覆うように、表面側に重ねられて取り付けられる透明カバーと、
シート状表示物および透明カバーを保持するように、基板の表面側の下部に取り付けられる保持部材と、
基板、シート状表示物および透明カバーの下部、ならびに保持部材を表面側から覆い、その上部にシート状表示物および透明カバーがスライドするスライド間隙を有する下枠と、
基板、シート状表示物および透明カバーの上部を表面側から覆い、その下部にシート状表示物および透明カバーがスライドするスライド間隙を有するとともに、シート状表示物および透明カバーの下部が下枠を出るまでスライドするように透明カバー上部のスライド空間を有する上枠と、
基板、シート状表示物、透明カバー、保持部材、下枠および上枠の側端部を覆うように上部受部および下部受部に取り付けられる側枠と
を有する表示装置。
(５)  基板と保持部材が一体的に形成された上記（１）または（２）記載の表示装置。
(６)  基板と下枠および／または上枠とが一体的に形成された上記（１）または（５）記載の表示装置。
【０００７】
本発明において、表示の対象となるシート状表示物は、基板と透明カバーとの間に保持されて表示を行う表示物であり、告知書、ポスター、絵画、シート状見本等のシート状表示物が挙げられる。
このようなシート状表示物の表示を行う表示部は、シート状表示物を表示できるところであれば制限はない。特に壁面、掲示板等の面が表示部として適しているが、フレーム上の構造物に直接取り付けることも可能である。
【０００８】
本発明の表示装置において、基板は、表示部に設置されて表面側にシート状表示物を保持できるものであれば制限はなく、アルミニウム、鉄等の金属板、プラスチックシートなどが使用できる。アルミニウム、プラスチックシート等の軽量の材質が好ましいが、表示物をマグネットで保持する場合は鋼板などを用いることができる。
【０００９】
取付部材は、基板を表示部に取り付けるように構成される。取付部材は、基板を表示部に取り付けた後保持部材、下枠、上枠等を取り付けるようにしてもよく、また基板を保持部材、下枠、上枠等と一体化した後取り付けるようにしてもよい。このような取付部材は、ねじ、ボルト、フック、接着剤など、任意の材料のものが使用できる。
【００１０】
透明カバーは、基板の表面側のシート状表示物を覆うように、表面側に重ねて取り付けられるもので、透明なプラスチックやガラス等が挙げられる。このような透明カバーとしては、装着を容易にするために弾性変形により反る程度の剛性を有するものが好ましく、また軽量で破壊されにくいものが好ましい。またシート状表示物とともに装着するために、静電気等によりシート状表示物が付着しやすいものが好ましく、このような点からアクリル樹脂、ポリエステル樹脂等の透明なプラスチックが好ましい。
【００１１】
保持部材は、透明カバーを保持するように基板の表面側、好ましくはその下部に取り付けられる構造のものであり、透明カバーおよびシート状表示物を保持するようにすることもできる。このような保持部材は、ブラケット、フックなど、透明カバーの下部を局部的に保持する部材を横方向に間隔をおいて並べたものでもよいが、横断面Ｌ字状のアングル材を基板の表面側下部の横方向に取り付けるものが好ましい。保持部材は基板と一体的に形成することができ、たとえば基板の下端部を折り曲げて形成することができる。別部材で形成すると、透明カバーを保持する高さを任意に決めることができる。
【００１２】
下枠は、基板および透明カバーの下部を表面側から覆うように構成され、透明カバーのスライド間隙を上部に有するとともに、透明カバー下部のスライド空間を内側に有する構造のものが用いられる。具体的には、内部にスライド空間を有する横断面コ字状ないしＣ字状の金属または硬質プラスチック製の成形品で、上辺が下辺より短くて上部にスライド間隙を形成するものとすることができる。下枠は、基板および／または保持部材と一体的に形成することができ、たとえば基板の下端部を折り曲げて形成することができる。保持部材が別部材の場合は、保持部材をも表面側から覆う構造のものが用いられる。
【００１３】
上枠は、基板および透明カバーの上部を表面側から覆うように構成され、透明カバーのスライド間隙を下部に有するとともに、透明カバーのスライド空間を内側に有するように構造される。透明カバーの下部が下枠を出るまで透明カバーの上部がスライドするように、透明カバー上部のスライド空間を有する構造のものが好ましい。具体的には、下枠とほぼ面対称であって、内部空間を有する横断面コ字状ないしＣ字状の金属または硬質プラスチック製の成形品で、下辺が短くて下部にスライド間隙を形成するものが好ましい。上枠は基板と一体的に形成することができ、たとえば基板の上端部を折り曲げて形成することができる。
【００１４】
側枠は、基板、シート状表示物、透明カバー、保持部材、下枠および上枠の側端部を覆うように、一体化部材の上部受部および下部受部に取り付けられる構造のものである。上部受部および下部受部に取り付けるために、上部および下部に取付部が形成される。取付部は側枠の上部および下部をＬ字状に折り曲げて形成してもよいが、側枠が基板、シート状表示物、透明カバー、保持部材、下枠および上枠の側端部の全体を覆うように、側枠の上端部および下端部より若干中央部よりの部分から直角方向に突出するように、別部材により形成するのが好ましい。側枠は基板と一体的に形成することができ、たとえば基板の側端部を折り曲げて形成することができる。
【００１５】
基板、保持部材、下枠、上枠および側枠などが別部材である場合は、一体化部材を用いて一体化するのが好ましい。一体化部材は、基板の側端部の裏側に配置され、上下両端部で表面側に突出する上部受部および下部受部を有し、かつ基板を固着した状態で表示部に固着される構造のものが用いられる。一体化部材は基板とともに表示部に固着されるように構成されるが、基板の固着と表示部への固着はどちらが先でもよい。一体化部材は、細長い板状の金属、プラスチック等の硬質材料が用いられ、上部受部および下部受部は上下両端部で表面側に折れ曲がって突出するものが好ましいが、別部材を固着してもよい。この一体化部材は、基板の側端部の裏側に配置されるものが必須であるが、横長のシート状表示物を表示する場合は、中間部にも設けて中間部で基板を保持するようにしてもよい。
【００１６】
本発明の表示装置は、上記の基板が取付部材により表示部に取り付けられ、シート状表示物は基板の表面側に直接保持するか、あるいは透明カバーを重ねた状態で、透明カバーの上端部を上枠のスライド間隙に挿入してスライド空間内でスライドさせ、下部を下枠のスライド間隙に挿入してスライド空間内でスライドさせるようにケンドン式に構成されており、透明カバーを保持部材で保持して基板の表面側を覆うように重ね、シート状表示物の表示を行うことができる。
【００１７】
基板、保持部材、下枠、上枠および側枠などが別部材である場合は、上記の基板が一体化部材により一体化され、あるいは一体化されることなく、取付部材により表示部に取り付けられる。保持部材を用いる場合は、基板の表面側の下部に保持部材が取り付けられ、この保持部材を表面側から覆うように基板の下部に下枠が取り付けられ、これに対向して基板の表面側の上部に上枠が取り付けられ、これらの側端部を覆うように側枠が上部受部および下部受部に取り付けられるものである。シート状表示物は基板の表面側に直接保持するか、あるいは透明カバーを重ねた状態で、透明カバーの上端部を上枠のスライド間隙に挿入してスライド空間内でスライドさせ、下部を下枠のスライド間隙に挿入して基板の表面側を覆うように重ね、シート状表示物の表示を行うようにケンドン式に構成されている。
【００１８】
本発明の好ましい表示装置は、表示部に設置されて表面側にシート状表示物を保持する基板と、基板の側端部の裏側に配置されて上下両端部で表面側に突出する上部受部および下部受部を有しかつ基板とともに表示部に固着される一体化部材と、基板の表面側にシート状表示物を覆うように表面側に重ねられて取り付けられる透明カバーと、シート状表示物および透明カバーを保持するように基板の表面側の下部に取り付けられる保持部材と、基板、シート状表示物および透明カバーの下部、ならびに保持部材を表面側から覆い、その上部にシート状表示物および透明カバーがスライドするスライド間隙を有する下枠と、基板、シート状表示物および透明カバーの上部を表面側から覆い、その下部にシート状表示物および透明カバーがスライドするスライド間隙を有するとともに、シート状表示物および透明カバーの下部が下枠を出るまでスライドするように透明カバー上部のスライド空間を有する上枠と、基板、シート状表示物、透明カバー、保持部材、下枠および上枠の側端部を覆うように上部受部および下部受部に取り付けられる側枠とを有する表示装置である。
【００１９】
上記の表示装置を表示部に取り付けるための取付部材は、個々の部品を別々に固着する固着部材を用いることができるが、基板および保持部材については、これらを一体的に表示部に固着する取付部材を用いるのが好ましい。また下枠、上枠および側枠の場合は、これらを一体的に一体化部材の上部受部および下部受部に固着する固着部材を用いるのが好ましい。
【００２０】
上記の表示装置を表示部に取り付けるには、固着部材により保持部材を基板に取り付け、これを表示部に取り付けるか、好ましくは取付部材により基板および保持部材を一体的に表示部に固着して取り付ける。そして下枠および上枠を一体化部材の上部受部および下部受部に固着するとともに、これらの側端部を覆うように側枠を上部受部および下部受部に取り付けるか、好ましくは固着部材により下枠、上枠および側枠を一体的に一体化部材の上部受部および下部受部に固着して取り付ける。その後、基板の表面側にシート状表示物を保持し、基板の表面側にシート状表示物を覆うように透明カバーを重ねて取り付け、シート状表示物の表示を行うか、好ましくは透明カバーと同程度の大きさのシート状表示物を重ねた状態で取り付ける。
【００２１】
透明カバーまたは透明カバーとシート状表示物を重ねた複合体を基板の表面側に取り付けるには、透明カバーまたは複合体を手で持って、その上端部を上枠のスライド間隙に挿入してスライド空間内でスライドさせ、透明カバーまたは複合体の下部を下枠のスライド間隙に挿入して重力により下向きにスライドさせ、保持部材上に保持するように装着する。装着状態では、基板の表面側にシート状表示物を保持し、表面側を透明カバーで覆った状態で表示が行われる。
【００２２】
表示物を交換する場合は、逆の動作により手で透明カバーを基板側に押し、摩擦を利用して透明カバーまたは複合体を上向にスライドさせてその上部をスライド空間内で移動させ、透明カバーの下部が下枠を出た状態で、透明カバーまたは複合体の下部を手前に引いて下向にスライドさせて上枠から抜き出す。表示物を交換後、前記装着の動作で装着する。このように表示物の交換は容易である。装着状態では、表示物は透明カバーで覆われて外観、装飾性が増し、表示物の保護性も高い。また透明カバーの外し方も外部からは不明であり、盗難等のおそれも少なく、管理も容易である。
【００２３】
表示物を例えば横長の表示物に変更する場合には、基板、透明カバー、保持部材、下枠、上枠などを継ぎ足して延長するか、あるいは横長のものと取り替えて取り付ける。一体化部材、側枠などはそのまま使用できるが、一体化部材は使用する数量を増加することもできる。このほか表示物の高さを変更するなど、大型の表示物に変更する場合にも、変更を要する部品のみ変更し、残りの部品はそのまま使用することができ、変更も容易である。
【発明の効果】
【００２４】
以上のとおり、本発明によれば、基板が取付部材により表示部に取り付けられ、基板の表面側に保持部材が設けられ、基板の下部に下枠が設けられ、これに対向して基板の表面側の上部に上枠が設けられ、これらの側端部を覆うように側枠が設けられ、シート状表示物は基板の表面側に直接保持するか、あるいは透明カバーを重ねた状態で、透明カバーの上端部を上枠のスライド間隙に挿入してスライド空間内でスライドさせ、下部を下枠のスライド間隙に挿入して基板の表面側を覆うように重ね、シート状表示物の表示を行うようにされているため、簡単な装置と操作により、シート状表示物を高い固着性、優れた外観および表示性で表示することができ、表示物の交換、変更および管理が容易である。
【発明を実施するための最良の形態】
【００２５】
以下、本発明の実施の形態を図面により説明する。
【実施例１】
【００２６】
図１〜４は実施例１の表示装置を示し、図１（ａ）は正面図、（ｂ）は側面図、図２（ａ）は図１（ｂ）の拡大図、図２（ｂ）は図１（ａ）のＡ−Ａ断面図、図３は分解斜視図、図４は一部の分解斜視図である。図１（ａ）は横長の表示物を表示する例を示すが、図３は横長でない表示物を表示する例を示す。
【００２７】
図１〜４の表示装置において、基板１は、表示部２に設置されて表面側にシート状表示物３を保持できるように、平板状に形成されており、アルミニウム、鉄等の金属板、プラスチックシートなどで形成できるが、アルミニウム、プラスチックシート等の軽量の材質が好ましい。
【００２８】
一体化部材４は、基板１の側端部の裏側に配置され、上下両端部で折れ曲がって表面側に突出する上部受部５および下部受部６を有し、かつ基板１を固着した状態で表示部２に固着される構造とされている。一体化部材４は、細長い板状の金属、プラスチック等の硬質材料が用いられ、上部受部５および下部受部６は上下両端部で表面側に折れ曲がって突出するように構成されているが、別部材を固着してもよい。この一体化部材４は、図３のように横に短いシート状表示物３の場合には、基板１の両側端部の裏側に各１個ずつ配置されるが、図１（ａ）のように横長のシート状表示物３を表示する場合は、中間部にも設けて中間部で基板１を保持するようにされる。上部受部５および下部受部６には、取付孔５ａ、６ａが形成されている。
【００２９】
透明カバー７は、基板１の表面側のシート状表示物３を覆い、表面側に重ねられて取り付けられるように、アクリル樹脂等の透明なプラスチックからなり、装着を容易にするために弾性変形により反る程度の剛性を有するもので、静電気等によりシート状表示物が付着しやすいものが用いられている。
【００３０】
保持部材８は、透明カバー７およびシート状表示物３を保持するように、基板１の表面側の下部に取り付けられるものであり、横断面Ｌ字状のアングル材を基板１の表面側下部の横方向に取り付けるように構成されている。保持部材８は予め固着部材（ねじ）９により基板１および一体化部材４と一体化され、基板１は取付部材（ねじ）１０により保持部材８および一体化部材４とともに表示部２に取り付けるように構成されているが、基板１を一体化部材４とともに取り付け後、保持部材８を取り付けるようにしてもよい。
【００３１】
下枠１１は、基板１および透明カバー７の下部、ならびに保持部材８および取付部材１０を表面側から覆うように、内部空間を有する横断面コ字状ないしＣ字状の金属製の成形品により形成されている。下枠１１は、上辺１１ａが下辺１１ｂよりも短くなっていて上部に、透明カバー７およびシート状表示物３がスライド可能なスライド間隙１２およびスライド空間１９が形成され、下辺１１ｂには取付孔１３が形成されている。
【００３２】
上枠１５は、基板１、シート状表示物３および透明カバー７の上部、ならびに取付部材１０を表面側から覆うように、内部空間を有する横断面コ字状ないしＣ字状の金属製の成形品により形成されている。上枠１５は、下辺１５ａが上辺１５ｂよりも短くなっていて下部に、透明カバー７およびシート状表示物３がスライド可能なスライド間隙１６が形成され、上辺１５ｂには取付孔１７が形成され、またシート状表示物３および透明カバー７の下部が下枠１１を出るまでシート状表示物３および透明カバー７の上部がスライドするように、シート状表示物３および透明カバー７上部のスライド空間１８が形成されている。
【００３３】
側枠２１は、基板１、シート状表示物３、一体化部材４、透明カバー７、保持部材８、下枠１１および上枠１５の両側の側端部を覆うように左右に２個設けられ、一体化部材４の上部受部５および下部受部６に取り付けられるように、上部および下部に取付部２２、２３が形成されている。取付部２２、２３は側枠２１の上端部および下端部より若干中央部よりの部分から直角方向に突出するブラケット状の別部材が溶接により一体化されているが、側枠２１の上部および下部をＬ字状に折り曲げて形成してもよい。取付部２２、２３には取付孔２４、２５が設けられている。
【００３４】
上記の表示装置は、基板１が一体化部材４とともに取付部材１０により表示部２に固着され、基板１の表面側の下部に保持部材８が取り付けられ、取付部材１０および保持部材８を表面側から覆うように基板１の下部に下枠１１が取り付けられ、これに対向して取付部材１０を表面側から覆うように基板１の表面側の上部に上枠１５が取り付けられ、これらの側端部を覆うように側枠２１が上部受部５および下部受部６に取り付けられるように構成されている。シート状表示物３は基板１の表面側に直接保持するか、あるいは透明カバー７を重ねた状態で、透明カバー７の上端部を上枠１５のスライド間隙１６に挿入してスライド空間１８内でスライドさせ、下部を下枠１１のスライド間隙１２に挿入してスライド空間１９内でスライドさせ、保持部材８上に保持して基板１の表面側を覆うように重ね、シート状表示物３の表示を行うように構成されている。
【００３５】
上記の表示装置を表示部２に取り付けるための取付部材１０は、基板１、一体化部材４および保持部材８を一体的に表示部に固着するように構成されているが、個々の部品を別々に固着するように構成してもよい。また下枠１１、上枠１５および側枠２１を取り付けるための固着部材２６は、これらの下枠１１、上枠１５および側枠２１を一体化部材４の上部受部５および下部受部６に一体的に固着するように、取付孔１３、１７、取付孔２４、２５、取付孔５ａ、６ａに装着して固着するねじ等の固着部材を用いているが、個々の部品を別々に固着するように構成してもよい。
【００３６】
上記の表示装置を表示部に取り付けるには、固着部材９により基板１および保持部材８を取り付けた一体化部材４を、取付部材１０により表示部２に一体的に取り付ける。そして下枠１１および上枠１５を一体化部材４の上部受部５および下部受部６に固着するとともに、これらの側端部を覆うように側枠２１を上部受部５および下部受部６に取り付ける。この場合、下枠１１の下辺１１ｂ、上枠１５の上辺１５ｂおよび側枠２１の取付部２２、２３を一体的に、固着部材２６により一体化部材４の上部受部５および下部受部６に固着して取り付ける。その後基板１の表面側にシート状表示物３を保持し、基板１の表面側にシート状表示物３を覆うように透明カバー７を重ねて取り付け、シート状表示物３の表示を行う。
【００３７】
透明カバー７とシート状表示物３を重ねた複合体を基板１の表面側に取り付けるには、図２（ｂ）に７ａ、３ａで示すように、透明カバー７を同程度の大きさのシート状表示物３と重ねた複合体を手で持って、その上端部を上枠１５のスライド間隙１６に挿入してスライド空間１８内でスライドさせ、透明カバー７とシート状表示物３の複合体の下部を下枠１１のスライド間隙１２に挿入して重力により下向きにスライドさせ、保持部材８上に保持するように装着する。装着状態では、基板１の表面側にシート状表示物３を保持し、表面側を透明カバー７で覆った状態で表示が行われる。
【００３８】
シート状表示物３を交換する場合は、逆の動作により手で透明カバー７を基板１側に押し、摩擦を利用して透明カバー７とシート状表示物３の複合体を上向にスライドさせてその上部をスライド空間１８内で移動させ、透明カバー７の下部が下枠１１のスライド間隙１２を出た状態で、透明カバー７とシート状表示物３の複合体の下部を手前に引いて下向にスライドさせて上枠１５から抜き出す。シート状表示物３を交換後、前記装着の動作で装着する。このようにシート状表示物３の交換は容易である。装着状態では、シート状表示物３は透明カバー７で覆われて外観、装飾性が増し、シート状表示物３の保護性も高い。また透明カバー７の外し方も外部からは不明であり、盗難等のおそれも少なく、管理も容易である。
【００３９】
上記の説明は、図３のような横長でないシート状表示物３を表示する場合について説明したが、例えば図１に示すように、シート状表示物３を横長のシート状表示物３に変更する場合には、基板１、透明カバー７、保持部材８、下枠１１、上枠１５などを継ぎ足して延長するか、あるいは横長のものと取り替えて取り付ける。一体化部材４、側枠２１などはそのまま使用できるが、透明カバー７、一体化部材４などは使用する数量を増加することもできる。このほかシート状表示物３の高さを変更するなど、大型のシート状表示物３に変更する場合にも、変更を要する部品のみ変更し、残りの部品はそのまま使用することができ、変更も容易である。
【００４０】
上記の表示装置によれば、簡単な装置と操作により、シート状表示物３を高い固着性、優れた外観および表示性で表示することができ、表示物の交換、変更および管理が容易である。下枠１１および上枠１５は基板１とは別部材であるため、取付部材１０を表面側から覆うようにおよび上枠１５を取り付けることができ、シート状表示物３がない場合でも取付部材１０が露出して外観を害することがない。また保持部材８は基板１とは別部材であるため、保持部材８を基板１の下端部よりも高い位置に取り付けて下枠１１で覆うことができ、これによりスライド空間１８をスライド空間１９より大きくしても、下枠１１と上枠１５の幅を同じにすることができ、優れた外観を得ることができる。
【実施例２】
【００４１】
図５は実施例２の表示装置を示す分解斜視図である。この表示装置は図１〜４は実施例１の表示装置とほぼ同様になっているが、一体化部材４は省略され、基板１の上下両端部が折れ曲がって表面側に突出して上部受部５および下部受部６が形成されている。シート状表示物３、透明カバー７、保持部材８、取付部材（ねじ）１０、下枠１１、上枠１５、側枠２１などは、実施例１のものとほぼ同様に構成されている。
【００４２】
上記の表示装置は、基板１が取付部材１０により表示部２に固着され、基板１の表面側の下部に保持部材８が取り付けられ、取付部材１０および保持部材８を表面側から覆うように基板１の下部に下枠１１が取り付けられ、これに対向して取付部材１０を表面側から覆うように基板１の表面側の上部に上枠１５が取り付けられ、これらの側端部を覆うように側枠２１が上部受部５および下部受部６に取り付けられるように構成されている。シート状表示物３は基板１の表面側に直接保持するか、あるいは透明カバー７を重ねた状態で、透明カバー７の上端部を上枠１５のスライド間隙１６に挿入してスライド空間１８内でスライドさせ、下部を下枠１１のスライド間隙１２に挿入してスライド空間１９内でスライドさせ、保持部材８上に保持して基板１の表面側を覆うように重ね、シート状表示物３の表示を行うように構成されている。
【００４３】
上記の表示装置を表示部に取り付けるには、固着部材９（図示省略）により保持部材８を取り付けた基板１を、取付部材１０により表示部２に一体的に取り付ける。そして下枠１１および上枠１５を基板１の上部受部５および下部受部６に固着するとともに、これらの側端部を覆うように側枠２１を上部受部５および下部受部６に取り付ける。この場合、下枠１１の下辺１１ｂ、上枠１５の上辺１５ｂおよび側枠２１の取付部２２、２３を一体的に、固着部材２６により基板１の上部受部５および下部受部６に固着して取り付ける。その後前記と同様に、基板１の表面側にシート状表示物３を保持し、基板１の表面側にシート状表示物３を覆うように透明カバー７を重ねて取り付け、シート状表示物３の表示を行う。
【００４４】
この実施例の表示装置は、基板１の上下両端部に上部受部５および下部受部６が一体的に形成されているので、加工に困難性を伴うが、一体化部材４が省略されているため、取付作業性は容易になる。
【実施例３】
【００４５】
図６は実施例３の表示装置を示す分解斜視図である。この表示装置は図１〜４の実施例１の表示装置とほぼ同様になっているが、一体化部材４、保持部材８、下枠１１、上枠１５は省略され、基板１の上下両端部が表面側に折れ曲がって、下枠１１および上枠１５が形成されている。シート状表示物３、透明カバー７、取付部材（ねじ）１０、側枠２１などは、実施例１のものとほぼ同様に構成されている。上枠１５の上辺１５ｂが上部受部５を兼ね、下枠１１の下辺１１ｂが下部受部６および保持部材８を兼ねている。
【００４６】
上記の表示装置は、基板１が取付部材１０により表示部２に取り付けられるように構成されている。シート状表示物３は基板１の表面側に直接保持するか、あるいは透明カバー７を重ねた状態で、透明カバー７の上端部を上枠１５のスライド間隙１６に挿入してスライド空間１８内でスライドさせ、下部を下枠１１のスライド間隙１２に挿入してスライド空間１９内でスライドさせ、保持部材８を兼ねる下枠１１の下辺１１ｂ上に保持して基板１の表面側を覆うように重ね、シート状表示物３の表示を行うように構成されている。
【００４７】
上記の表示装置を表示部に取り付けるには、下枠１１および上枠１５を形成した基板１を、取付部材１０により表示部２に取り付ける。そして下枠１１および上枠１５を含む基板１の側端部を覆うように側枠２１を、上部受部５を兼ねる上枠１５の上辺１５ｂおよび下部受部６を兼ねる下枠１１の下辺１１ｂに、固着部材２６により取り付ける。その後前記と同様に、基板１の表面側にシート状表示物３を保持し、基板１の表面側にシート状表示物３を覆うように透明カバー７を重ねて取り付け、シート状表示物３の表示を行う。
【００４８】
この実施例の表示装置は、基板１の上下両端部に下枠１１および上枠１５が一体的に形成されているので、加工に困難性を伴うが、一体化部材４が省略されているため、取付作業性は容易になる。また基板１を表示部２に取り付ける取付部材１０が外表面に露出するが、シート状表示物３で覆うことができる。取付部材１０をシート状表示物３で覆うことができない場合は、装飾部材、シール等で覆うことにより、優れた外観を維持することができる。下枠１１は保持部材８を兼ねているので、スライド空間１８をスライド空間１９より大きくするために、上枠１５の幅すなわち上辺１５ｂと下辺１５ａとの間隔が、下枠１１の幅すなわち上辺１１ａと下辺１１ｂとの間隔よりも大きくなるが、上枠１５に文字、図形等を表示することによりバランスを保つことができる。
【図面の簡単な説明】
【００４９】
【図１】図１（ａ）は実施例１の表示装置の正面図、図１（ｂ）は側面図である。
【図２】図２（ａ）は図１（ｂ）の拡大図、図２（ｂ）は図１（ａ）のＡ−Ａ断面図である。
【図３】図３は表示装置の分解斜視図である。
【図４】図４は表示装置の一部の分解斜視図である。
【図５】図５は実施例２の表示装置を示す分解斜視図である。
【図６】図６は実施例３の表示装置を示す分解斜視図である。
【符号の説明】
【００５０】
１  基板
２  表示部
３、３ａ  シート状表示物
４  一体化部材
５  上部受部
５ａ  取付孔
６  下部受部
６ａ  取付孔
７、７ａ  透明カバー
８  保持部材
９  固着部材
１０  取付部材
１１  下枠
１１ａ  上辺
１１ｂ  下辺
１２  スライド間隙
１３  取付孔
１５  上枠
１５ａ  下辺
１５ｂ  上辺
１６  スライド間隙
１７  取付孔
１８、１９  スライド空間
２１  側枠
２２、２３  取付部
２４、２５  取付孔
２６  固着部材
【図１】
2005107075.tif 000003
【図２】
2005107075.tif 000004
【図３】
2005107075.tif 000005
【図４】
2005107075.tif 000006
【図５】
2005107075.tif 000007
【図６】
2005107075.tif 000008